(57)【特許請求の範囲】
【請求項１】
相交差する天井梁と継ぎ天井梁を柱省略コーナー部で接合する建物ユニットにおいて、
継ぎ天井梁が、柱省略コーナー部に仮に設けられる仮柱の上部に仮止め治具により仮止めされ、
天井梁のためのジョイントピースが、仮柱の上部に仮止めされた継ぎ天井梁に対し、位置決め治具により位置決めされて溶接されてなることを特徴とする建物ユニット。
【請求項２】
前記仮止め治具が仮柱の上部エンドプレートと、該上部エンドプレートの上に載る継ぎ天井梁とを挟持するものである請求項１に記載の建物ユニット。
【請求項３】
前記位置決め治具が、継ぎ天井梁の上面に添設される上板と、継ぎ天井梁の側面に添設される側板とを有し、
天井梁のためのジョイントピースの本体の端面が位置決め治具の側板に設けてある位置決め部により水平方向と上下方向に位置出しされた状態で、ジョイントピースの本体から突出している取付片が継ぎ天井梁の取付部材に溶接される請求項１又は２に記載の建物ユニット。
【請求項４】
相隣る複数の建物ユニットとして請求項１に記載の建物ユニットを用いて構築されるユニット建物であって、
相隣る複数の建物ユニットのそれぞれに定めた柱省略コーナー部を柱省略接合部にて互いに突き合せ配置し、
相隣る建物ユニットの柱省略接合部を含む同一面内で該柱省略コーナー部に交差配置されている天井梁を継ぎ天井梁とし、
相隣る建物ユニットのうちの一方側の建物ユニットの継ぎ天井梁の側から他方側の建物ユニットの継ぎ天井梁の側に延在する継ぎ材をそれらの継ぎ天井梁に添設し、継ぎ材の一端側を一方側の建物ユニットの継ぎ天井梁に接合し、継ぎ材の他端側を他方側の建物ユニットの継ぎ天井梁に接合するものであり、
天井梁のジョイントピースと、継ぎ天井梁の間に、継ぎ材の挿入スペースを設けてなるユニット建物。
【請求項５】
相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合する請求項４に記載のユニット建物。
【発明の詳細な説明】
【技術分野】
【０００１】
本発明は建物ユニット及びユニット建物に関する。
【背景技術】
【０００２】
柱と梁を箱形に接合した建物ユニットにおいて、柱省略コーナー部を設けるとき、特許文献１に記載の如く、相交差する天井梁のそれぞれを柱省略コーナー部に設けられる短柱に突き合せ溶接している。
【特許文献１】特開平9-165824
【発明の開示】
【発明が解決しようとする課題】
【０００３】
特許文献１に記載の建物ユニットでは、相交差する天井梁の間に短柱を介するため、複雑な構造になり、コスト高になる。
【０００４】
本発明の課題は、建物ユニットにおいて、相交差する天井梁と継ぎ天井梁を柱省略コーナー部で直に接合し、コスト低減することにある。
【０００５】
本発明の他の課題は、柱省略した広い連続空間を形成するユニット建物において、継ぎ天井梁同士を強固に接合し、柱省略に起因する強度低下を確実に補強することにある。
【課題を解決するための手段】
【０００６】
請求項１の発明は、相交差する天井梁と継ぎ天井梁を柱省略コーナー部で接合する建物ユニットにおいて、継ぎ天井梁が、柱省略コーナー部に仮に設けられる仮柱の上部に仮止め治具により仮止めされ、天井梁のためのジョイントピースが、仮柱の上部に仮止めされた継ぎ天井梁に対し、位置決め治具により位置決めされて溶接されてなるようにしたものである。
【０００７】
請求項２の発明は、請求項１の発明において更に、前記仮止め治具が仮柱の上部エンドプレートと、該上部エンドプレートの上に載る継ぎ天井梁とを挟持するものである。
【０００８】
請求項３の発明は、請求項１又は２の発明において更に、前記位置決め治具が、継ぎ天井梁の上面に添設される上板と、継ぎ天井梁の側面に添設される側板とを有し、天井梁のためのジョイントピースの本体の端面が位置決め治具の側板に設けある位置決め部により水平方向と上下方向に位置出しされた状態で、ジョイントピースの本体から突出している取付片が継ぎ天井梁の取付部材に溶接されるようにしたものである。
【０００９】
請求項４の発明は、相隣る複数の建物ユニットとして請求項１に記載の建物ユニットを用いて構築されるユニット建物であって、相隣る複数の建物ユニットのそれぞれに定めた柱省略コーナー部を柱省略接合部にて互いに突き合せ配置し、相隣る建物ユニットの柱省略接合部を含む同一面内で該柱省略コーナー部に交差配置されている天井梁を継ぎ天井梁とし、相隣る建物ユニットのうちの一方側の建物ユニットの継ぎ天井梁の側から他方側の建物ユニットの継ぎ天井梁の側に延在する継ぎ材をそれらの継ぎ天井梁に添設し、継ぎ材の一端側を一方側の建物ユニットの継ぎ天井梁に接合し、継ぎ材の他端側を他方側の建物ユニットの継ぎ天井梁に接合するものであり、天井梁のジョイントピースと、継ぎ天井梁の間に、継ぎ材の挿入スペースを設けてなるようにしたものである。
【００１０】
請求項５の発明は、請求項４の発明において更に、相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合するようにしたものである。
【発明の効果】
【００１１】
（請求項１）
(a)建物ユニットにおいて、継ぎ天井梁が、柱省略コーナー部に仮に設けられる仮柱の上部に仮止め治具により仮止めされ、天井梁のためのジョイントピースが、仮柱の上部に仮止めされた継ぎ天井梁に対し、位置決め治具により位置決めされて溶接される。従って、相直交する天井梁と継ぎ天井梁を柱省略コーナー部で直に接合し、コスト低減することができる。
【００１２】
（請求項２）
(b)仮止め治具が仮柱の上部エンドプレートと、該上部エンドプレートの上に載る継ぎ天井梁とを挟持するものであるようにしたから、継ぎ天井梁を仮柱の上部に簡易に仮止めできる。
【００１３】
（請求項３）
(c)位置決め治具が、継ぎ天井梁の上面に添設される上板と、継ぎ天井梁の側面に添設される側板とを有し、天井梁のためのジョイントピースの本体の端面が位置決め治具の側板に設けてある位置決め部により水平方向と上下方向に位置出しされた状態で、ジョイントピースの本体から突出している取付片が継ぎ天井梁の取付部材に溶接されるようにしたから、継ぎ天井梁に添設した位置決め治具により、ジョイントピースを継ぎ天井梁に簡易に位置決めして溶接できる。
【００１４】
（請求項４）
(d)相隣る建物ユニットの継ぎ天井梁同士をそれら継ぎ天井梁に添設する継ぎ材により接合することによって、継ぎ天井梁同士を強固に接合できる。従って、柱省略した広い連続空間を形成するユニット建物において、継ぎ天井梁同士を強固に接合し、柱省略に起因する強度低下を確実に補強することができる。
【００１５】
(e)相隣る建物ユニットのそれぞれにおいて、天井梁のジョイントピースと、継ぎ天井梁の間に、継ぎ材の挿入スペースを設けた。従って、上述(d)の継ぎ材を容易に設置できる。
【００１６】
（請求項５）
(f)上述(d)の継ぎ天井梁同士を、それらの概ね全長に渡って添設する長尺の補強梁により連結することによって、継ぎ天井梁同士を強固に接合できる。
【発明を実施するための最良の形態】
【００１７】
図１はユニット建物の一例を示す斜視図、図２はユニット建物の他の例を示す斜視図、図３は図１のIII部の構造を示し、（Ａ）は正面図、（Ｂ）は平面図、図４は図１のIV部の構造を示し、（Ａ）は正面図、（Ｂ）は平面図、図５は図１のＶ部の構造を示し、（Ａ）は正面図、（Ｂ）は平面図、図６は仮柱を示す斜視図、図７は仮柱への継ぎ天井梁の取付状態を示す斜視図、図８はジョイントピースの継ぎ天井梁に対する位置決め状態を示し、（Ａ）は位置決め治具の取付状態を示す斜視図、（Ｂ）はジョイントピースの取込状態を示す斜視図、（Ｃ）はジョイントピースの位置決め状態を示す斜視図、図９はジョイントピースと継ぎ天井梁の溶接状態を示し、（Ａ）は斜視図、（Ｂ）は平面図、（Ｃ）は正面図、図１０は位置決め治具の取外し状態を示す斜視図、図１１は補助柱の取付手順を示し、（Ａ）は伸縮棒の取付状態を示す斜視図、（Ｂ）は補助柱の取付状態を示す斜視図、（Ｃ）は伸縮棒の取外し状態を示す斜視図、図１２は仮柱の取外し手順を示す側面図、図１３はユニット建物の一例を示し、（Ａ）は建物ユニットの据付状態を示す模式平面図、（Ｂ）は建物ユニットの補強状態を示す模式平面図、図１４は継ぎ天井梁と継ぎ材を示す斜視図、図１５は位置決め治具を示し、（Ａ）は正面図、（Ｂ）は平面図、（Ｃ）は側面図である。
【実施例】
【００１８】
図１、図２の柱省略建物ユニット１０は、角鋼管製柱１１とＣ形鋼製床梁１２とＣ形鋼製天井梁１３を箱形に接合した骨組構造体であり、相交差する床梁１２の接合部、天井梁１３の接合部をコーナー部とする。柱省略建物ユニット１０は、少なくとも１個、図１では１個のコーナー部、図２では相隣る２個のコーナー部を柱省略コーナー部１４としてなるものである。
【００１９】
柱省略建物ユニット１０の天井梁１３において、柱１１が存在するコーナー部と柱省略コーナー部１４の間に延在される天井梁１３は、継ぎ天井梁１３Ａとされる。継ぎ天井梁１３Ａは、概ね全長に渡る各部の断面強度を他の天井梁１３の断面強度より高くし（例えば継ぎ天井梁１３Ａの板厚を他の天井梁１３の板厚より厚くする）、本実施例ではリップ付きＣ形鋼からなるものとしている。
【００２０】
柱省略建物ユニット１０は、柱１１が存在するコーナー部（III部）で、図３に示す如く、相交差する床梁１２、１２の接合構造を以下の如くにしている。柱１１の下端部の相交差する２面のそれぞれに固定されるＣ形鋼ジョイントピース１１Ａに妻側（短辺側）と桁側（長辺側）の各床梁１２の端部を抱持させて接続する。
【００２１】
柱省略建物ユニット１０は、柱１１が存在するコーナー部（IV部）で、図４に示す如く、相交差する継ぎ天井梁１３Ａ、天井梁１３の接合構造を以下の如くにしている。柱１１の上端部の相交差する２面のそれぞれに固定されるＣ形鋼ジョイントピース１１Ｂに妻側の継ぎ天井梁１３Ａと桁側の天井梁１３の端部を抱持させて接続する。
【００２２】
柱省略建物ユニット１０は、柱省略コーナー部１４（Ｖ部）で、図５に示す如く、相交差する床梁１２、１２の接合構造を以下の如くにしている。相交差する床梁１２の交差部に短柱１５を設け、短柱１５の相交差する２面のそれぞれに固定されるＣ形鋼ジョイントピース１５Ａに妻側と桁側の各床梁１２の端部を抱持させて接続する。
【００２３】
柱省略建物ユニット１０は、柱省略コーナー部１４（VI部）で、相交差する継ぎ天井梁１３Ａと天井梁１３の接合構造を以下の如くにしている。
【００２４】
(1)柱省略コーナー部１４に、建物ユニット１０の製造過程、建設現場への輸送据付段階で仮に設けられる仮柱２０の上部に、継ぎ天井梁１３Ａが仮止め治具１００により仮止めされる。
【００２５】
仮柱２０は、図６に示す如く、上部エンドプレート２１を上端部に備える。継ぎ天井梁１３Ａは、図７に示す如く、リップ付きＣ形鋼からなる本体４１の自由端側のウエブ内面に四角筒状の取付部材４２を溶接等により一体化されて備える。
【００２６】
位置決め治具１００は、図７に示す如く、仮柱２０の上部エンドプレート２１と、上部エンドプレート２１の上に載る継ぎ天井梁１３Ａの本体４１の下フランジとを挟持する。本体４１の下フランジの上面に仮止め板１０１を添設し、上部エンドプレート２１の下側から上部エンドプレート２１と本体４１の下フランジに設けたボルト孔に挿通されるボルト１０２を、仮止め板１０１のナット１０１Ａに締結される。これにより、継ぎ天井梁１３Ａの本体４１のリップ面が建物ユニット１０の内側で、仮柱２０の側面に面一とされる。
【００２７】
(2)天井梁１３のためのジョイントピース３０が、仮柱２０の上部に仮止めされた継ぎ天井梁１３Ａに対し、継ぎ天井梁１３Ａの本体４１に取付けられる位置決め治具２００により位置決めされて溶接される。
【００２８】
位置決め治具２００は、図１５に示す如く、継ぎ天井梁１３Ａの本体４１の上フランジの上面に添設される上板２０１と、継ぎ天井梁１３Ａの本体４１のリップ外面、本実施例では更に仮柱２０の側面に添設される側板２０２とを有する。上板２０１と側板２０２は互いに直交配置される。
【００２９】
位置決め治具２００にあっては、アイボルト２０３が、図８（Ａ）に示す如く、上板２０１の中央ボルト孔２０１Ａから継ぎ天井梁１３Ａの本体４１の上フランジに設けたボルト孔４１Ａに挿通され、本体４１の上フランジの下面に設けたナットに締結され、結果として位置決め治具２００が継ぎ天井梁１３Ａの本体４１に取付けられる。
【００３０】
天井梁１３のためのジョイントピース３０の本体３１の上下のフランジの端面が位置決め治具２００の側板２０２の上下各２ヶ所に突設してある位置決め部２０４Ａ、２０４Ｂ（図１５）に衝合して水平方向（継ぎ天井梁１３Ａの長手方向に直交する水平方向（Ｘ方向））に位置出しされる。また、ジョイントピース３０の本体３１のウエブの中央部分から舌片状に突出している取付片３２の内面が側板２０２の側縁にて形成してある位置決め部２０５に衝合して水平方向（継ぎ天井梁１３Ａの長手方向に沿う水平方向（Ｙ方向））に位置出しされる。また、ジョイントピース３０の本体３１の上フランジの上縁が側板２０２の上縁に設けてある位置決め部２０６（図１５）に合致されて上下方向（Ｚ方向）に位置出しされる（図８（Ｂ）、（Ｃ））。
【００３１】
位置決め治具２００に対するジョイントピース３０の上述の位置出し状態で、図９に示す如く、ジョイントピース３０の取付片３２が継ぎ天井梁１３Ａの取付部材４２に当接せしめられ、アーク溶接される（図９のアーク溶接部３２Ａ、３２Ｂ）。これにより、ジョイントピース３０に抱持される天井梁１３と、継ぎ天井梁１３Ａとが直交をなして連結され、天井梁１３の上フランジの上面は継ぎ天井梁１３Ａの上フランジの上面に面一をなすように設定される。また、ジョイントピース３０の本体３１、取付片３２の外面は床梁１２の短柱１５、ジョイントピース１５Ａの外面と面一をなすように設定される。また、天井梁１３のジョイントピース３０の本体３１の上下のフランジ及びウエブと、継ぎ天井梁１３Ａの本体４１の上下のリップの間に、後述する継ぎ材６１、７１の挿入スペース（図９のＧ1、Ｇ2）が設けられる。
【００３２】
アイボルト２０３による位置決め治具２００と継ぎ天井梁１３Ａの本体４１との取付けを外す。更に、位置決め治具２００の上板２０１において、図１０に示す如く、継ぎ天井梁１３Ａの本体４１の上フランジの上面に臨むように設けてある切欠部２０６に、バール２０７を入れて位置決め治具２００を継ぎ天井梁１３Ａの本体４１から取外す。
【００３３】
(3)継ぎ天井梁１３Ａの中間部と床梁１２の中間部の間に補助柱５０を取付ける（図１１）。まず、継ぎ天井梁１３Ａと床梁１２の間に伸縮棒５１を介装し、継ぎ天井梁１３Ａを持ち上げる（図１１（Ａ））。次に、継ぎ天井梁１３Ａと床梁１２の間に補助柱５０を挟み入れ、補助柱５０の上下端部のそれぞれを継ぎ天井梁１３Ａと床梁１２のそれぞれにボルト止めする（図１１（Ｂ））。次に、伸縮棒５１を取外す（図１１（Ｃ））。
【００３４】
(4)仮柱２０を取外す。仮止め治具１００の仮止め板１０１のナット１０１Ａからボルト１０２を外し、仮止め治具１００による仮柱２０の上部エンドプレート２１と継ぎ天井梁１３Ａの本体４１の下フランジとの締結を解く。仮柱２０を継ぎ天井梁１３Ａから取外す（図１２）。このとき、仮柱２０の下端部を短柱１５から取外す。
【００３５】
次に、柱省略建物ユニット１０を用いて構築されるユニット建物１の一例について説明する（図１３）。
【００３６】
ユニット建物１にあっては、４個の柱省略建物ユニット１０（１０Ａ〜１０Ｄ）のそれぞれに定めた柱省略コーナー部を柱省略接合部２にて互いに突き合せ配置する。
【００３７】
相対応する柱省略建物ユニット１０Ａと柱省略建物ユニット１０Ｂの間で、両者の柱省略接合部２を含む同一面内でそれらの柱省略コーナー部に交差配置されている天井梁を前述の継ぎ天井梁１３Ａとする。
【００３８】
相対応する柱省略建物ユニット１０Ｃと柱省略建物ユニット１０Ｄの間でも、両者の柱省略接合部２を含む同一面内でそれらの柱省略コーナー部に交差配置されている天井梁を前述の継ぎ天井梁１３Ａとする。
【００３９】
従って、ユニット建物１は、柱省略接合部２を含む同一面内で継ぎ天井梁１３Ａを有するように相隣る柱省略建物ユニットの組を２組有し、一方の組を構成するように相隣る柱省略建物ユニット１０Ａ及び１０Ｂと、他方の組を構成するように相隣る柱省略建物ユニット１０Ｃ及び１０Ｄとの間に、それらの継ぎ天井梁１３Ａが互いに相対して形成する一定の据付間隔を設ける。
【００４０】
以下、ユニット建物１において、柱省略建物ユニット１０Ａ〜１０Ｄの継ぎ天井梁１３Ａ同士を強固に接合し、柱省略に起因する強度低下を補強する構造について説明する。
【００４１】
(1)図１３、図１４に示す如く、柱省略建物ユニット１０Ａの継ぎ天井梁１３Ａの下フランジの側から、柱省略建物ユニット１０Ｂの継ぎ天井梁１３Ａの下フランジの側にＵ字状の継ぎ材６１と両側リップ付き平板状の補助継ぎ板６２を延在する。継ぎ材６１の水平板６１Ａと垂直板６１Ｂと垂直板６１Ｃが両継ぎ天井梁１３Ａの下フランジとウエブ下部と下リップの外面に添設される。補助継ぎ板６２は両継ぎ天井梁１３Ａの下フランジの内面に添設される。
【００４２】
継ぎ材６１、補助継ぎ板６２の一端側で、３本の高力ボルト６３を継ぎ材６１の水平板６１Ａ、補助継ぎ板６２、継ぎ天井梁１３Ａの下フランジのそれぞれに設けたボルト挿通孔に挿通し、高力ボルト６３の挿通端にナット６３Ａを締め付ける。継ぎ材６１、補助継ぎ板６２の他端側でも、３本の高力ボルト６３を継ぎ材６１の水平板６１Ａ、補助継ぎ板６２、継ぎ天井梁１３Ａの下フランジのそれぞれに設けたボルト挿通孔に挿通し、高力ボルト６３の挿通端にナット６３Ａを締め付ける。これにより、継ぎ材６１、補助継ぎ板６２の一端側を柱省略建物ユニット１０Ａの継ぎ天井梁１３Ａに剛接合し、継ぎ材６１、補助継ぎ板６２の他端側を柱省略建物ユニット１０Ｂの継ぎ天井梁１３Ａに剛接合する。本発明の実施において、高力ボルトとしては、トルシア形、六角ボルト形等を採用できる。
【００４３】
(2)図１３、図１４に示す如く、柱省略建物ユニット１０Ｃの継ぎ天井梁１３Ａの下フランジの側から、柱省略建物ユニット１０Ｄの継ぎ天井梁１３Ａの下フランジの側にも、上述(1)と同様にして、継ぎ材６１と補助継ぎ板６２を添設し、それら継ぎ材６１と補助継ぎ板６２をそれら柱省略建物ユニット１０Ｃ、１０Ｄの継ぎ天井梁１３Ａに剛接合する。
【００４４】
(3)図１３に示す如く、相隣る柱省略建物ユニット１０Ａ及び１０Ｂの組と、相隣る柱省略建物ユニット１０Ｃ及び１０Ｄの組の間の前述した据付間隔内に、それら２組の柱省略建物ユニット１０Ａ及び１０Ｂと、柱省略建物ユニット１０Ｃ及び１０Ｄに対し共通にされる補助梁８０を挿入して配置する。
【００４５】
補助梁８０は、長尺板材からなり、柱省略接合部２の一端側にて相対する柱省略建物ユニット１０Ａ、１０Ｃの継ぎ天井梁１３Ａ、１３Ａの据付間隔から、柱省略接合部２の他方側にて相対する柱省略建物ユニット１０Ｂ、１０Ｄの継ぎ天井梁１３Ａ、１３Ａの据付間隔に渡って設けられる。
【００４６】
補強梁８０は、それら柱省略建物ユニット１０Ａ〜１０Ｄの継ぎ天井梁１３Ａのウエブに添設される。補強梁８０の両端部は、柱省略接合部２の左右の一方側にて相対する２個の柱省略建物ユニット１０Ａ、１０Ｃの各柱１１と、柱省略接合部２の他端側にて相対する２個の柱省略建物ユニット１０Ｂ、１０Ｄの各柱１１のそれぞれに接続される。このとき、補強梁８０の両端部は、高力ボルトを用いた継ぎ天井梁１３Ａ、ジョイントピース１１Ｂとの高力ボルト接合を介して柱１１に接続される。補強梁８０の中央部は、相対する２個の柱省略建物ユニット１０Ａ、１０Ｃの継ぎ天井梁１３Ａに高力ボルト接合され、相対する２個の柱省略建物ユニット１０Ｂ、１０Ｄの継ぎ天井梁１３Ａに高力ボルト接合される。
【００４７】
このとき、補強梁８０は、前述(1)、(2)により柱省略建物ユニット１０Ａ〜１０Ｄの継ぎ天井梁１３Ａに添設される前述の継ぎ材６１の垂直板６１Ｂの上から該継ぎ天井梁１３Ａのウエブに添設される。
【００４８】
(4)図１３、図１４に示す如く、柱省略建物ユニット１０Ａの継ぎ天井梁１３Ａの上フランジの側から、柱省略建物ユニット１０Ｂの継ぎ天井梁１３Ａの上フランジの側にＵ字状の継ぎ材７１と両側リップ付き平板状の補助継ぎ板７３を延在する。継ぎ材７１の水平板７１Ａと垂直板７１Ｂと垂直板７１Ｃが両継ぎ天井梁１３Ａの上フランジとウエブ上部と上リップの外面に添設される。補助継ぎ板７２は両継ぎ天井梁１３Ａの上フランジの内面に添設される。
【００４９】
継ぎ材７１、補助継ぎ板７２の一端側で、３本の高力ボルト７３を継ぎ材７１の水平板７１Ａ、補助継ぎ板７２、継ぎ天井梁１３Ａの上フランジのそれぞれに設けたボルト挿通孔に挿通し、高力ボルト７３の挿通端にナット７３Ａを締め付ける。継ぎ材７１、補助継ぎ板７２の他端側でも、３本の高力ボルト７３を継ぎ材７１の水平板７１Ａ、補助継ぎ板７２、継ぎ天井梁１３Ａの上フランジのそれぞれに設けたボルト挿通孔に挿通し、高力ボルト７３の挿通端にナット７３Ａを締め付ける。これにより、継ぎ材７１、補助継ぎ板７２の一端側を柱省略建物ユニット１０Ａの継ぎ天井梁１３Ａに剛接合し、継ぎ材７１、補助継ぎ板７２の他端側を柱省略建物ユニット１０Ｂの継ぎ天井梁１３Ａに剛接合する。
【００５０】
(5)図１３、図１４に示す如く、柱省略建物ユニット１０Ｃの継ぎ天井梁１３Ａの上フランジの側から、柱省略建物ユニット１０Ｄの継ぎ天井梁１３Ａの上フランジの側にも、上述(4)と同様にして、継ぎ材７１と補助継ぎ板７２を添設し、それら継ぎ材７１と補助継ぎ板７２をそれら柱省略建物ユニット１０Ｃ、１０Ｄの継ぎ天井梁１３Ａに剛接合する。
【００５１】
本実施例によれば以下の作用効果を奏する。
(a)柱省略建物ユニット１０において、継ぎ天井梁１３Ａが、柱省略コーナー部１４に仮に設けられる仮柱２０の上部に仮止め治具１００により仮止めされ、天井梁１３のためのジョイントピース３０が、仮柱２０の上部に仮止めされた継ぎ天井梁１３Ａに対し、位置決め治具２００により位置決めされて溶接される。従って、相直交する天井梁１３と継ぎ天井梁１３Ａを柱省略コーナー部１４で直に接合し、コスト低減することができる。
【００５２】
(b)仮止め治具１００が仮柱２０の上部エンドプレート２１と、該上部エンドプレート２１の上に載る継ぎ天井梁１３Ａとを挟持するものであるようにしたから、継ぎ天井梁１３Ａを仮柱２０の上部に簡易に仮止めできる。
【００５３】
(c)位置決め治具２００が、継ぎ天井梁１３Ａの上面に添設される上板２０１と、継ぎ天井梁１３Ａの側面に添設される側板２０２とを有し、天井梁１３のためのジョイントピース３０の本体３１の端面が位置決め治具２００の側板２０２に設けてある位置決め部２０４Ａ、２０４Ｂ、２０５、２０６により水平方向と上下方向に位置出しされた状態で、ジョイントピース３０の本体３１から突出している取付片３２が継ぎ天井梁１３Ａの取付部材４２に溶接されるようにしたから、継ぎ天井梁１３Ａに添設した位置決め治具２００により、ジョイントピース３０を継ぎ天井梁１３Ａに簡易に位置決めして溶接できる。
【００５４】
(d)相隣る柱省略建物ユニット１０の継ぎ天井梁１３Ａ同士をそれら継ぎ天井梁１３Ａに添設する継ぎ材６１、７１により接合することによって、継ぎ天井梁１３Ａ同士を強固に接合できる。従って、柱省略した広い連続空間を形成するユニット建物１において、継ぎ天井梁１３Ａ同士を強固に接合し、柱省略に起因する強度低下を確実に補強することができる。
【００５５】
(e)相隣る柱省略建物ユニット１０のそれぞれにおいて、天井梁１３のジョイントピース３０と、継ぎ天井梁１３Ａの間に、継ぎ材６１、７１の挿入スペースＧを設けた。従って、上述(d)の継ぎ材６１、７１を容易に設置できる。
【００５６】
(f)上述(d)の継ぎ天井梁１３Ａ同士を、それらの概ね全長に渡って添設する長尺の補強梁８０により連結することによって、継ぎ天井梁１３Ａ同士を強固に接合できる。
【００５７】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００５８】
【図１】図１はユニット建物の一例を示す斜視図である。
【図２】図２はユニット建物の他の例を示す斜視図である。
【図３】図３は図１のIII部の構造を示し、（Ａ）は正面図、（Ｂ）は平面図である。
【図４】図４は図１のIV部の構造を示し、（Ａ）は正面図、（Ｂ）は平面図である。
【図５】図５は図１のＶ部の構造を示し、（Ａ）は正面図、（Ｂ）は平面図である。
【図６】図６は仮柱を示す斜視図である。
【図７】図７は仮柱への継ぎ天井梁の取付状態を示す斜視図である。
【図８】図８はジョイントピースの継ぎ天井梁に対する位置決め状態を示し、（Ａ）は位置決め治具の取付状態を示す斜視図、（Ｂ）はジョイントピースの取込状態を示す斜視図、（Ｃ）はジョイントピースの位置決め状態を示す斜視図である。
【図９】図９はジョイントピースと継ぎ天井梁の溶接状態を示し、（Ａ）は斜視図、（Ｂ）は平面図、（Ｃ）は正面図である。
【図１０】図１０は位置決め治具の取外し状態を示す斜視図である。
【図１１】図１１は補助柱の取付手順を示し、（Ａ）は伸縮棒の取付状態を示す斜視図、（Ｂ）は補助柱の取付状態を示す斜視図、（Ｃ）は伸縮棒の取外し状態を示す斜視図である。
【図１２】図１２は仮柱の取外し手順を示す側面図である。
【図１３】図１３はユニット建物の一例を示し、（Ａ）は建物ユニットの据付状態を示す模式平面図、（Ｂ）は建物ユニットの補強状態を示す模式平面図である。
【図１４】図１４は継ぎ天井梁と継ぎ材を示す斜視図である。
【図１５】図１５は位置決め治具を示し、（Ａ）は正面図、（Ｂ）は平面図、（Ｃ）は側面図である。
【符号の説明】
【００５９】
１  建物ユニット
２  柱省略接合部
１０  柱省略建物ユニット（建物ユニット）
１３  天井梁
１３Ａ  継ぎ天井梁
１４  柱省略コーナー部
２０  仮柱
２１  上部エンドプレート
３０  ジョイントピース
３１  本体
３２  取付片
４２  取付部材
６１、７１  継ぎ材
８０  補強梁
１００  仮止め治具
２００  位置決め治具
２０１  上板
２０２  側板
２０４Ａ、２０４Ｂ、２０５、２０６  位置決め部
【図１】
0005010406.tif 000002
【図２】
0005010406.tif 000003
【図３】
0005010406.tif 000004
【図４】
0005010406.tif 000005
【図５】
0005010406.tif 000006
【図６】
0005010406.tif 000007
【図７】
0005010406.tif 000008
【図８】
0005010406.tif 000009
【図９】
0005010406.tif 000010
【図１０】
0005010406.tif 000011
【図１１】
0005010406.tif 000012
【図１２】
0005010406.tif 000013
【図１３】
0005010406.tif 000014
【図１４】
0005010406.tif 000015
【図１５】
0005010406.tif 000016